(57)【要約】【課題】  モータで駆動される単一の電動駆動部を利用し複数の作業機を付け代えて複数の作業を可能にし、コストの低減を図る。【解決手段】  機体フレーム（１）にはモータ（２）及びバッテリ（３）を搭載すると共に、作業機取付用の取付手段（６，７，８）及びハンドル（１０）を付設して電動駆動部を構成し、複数の作業機（１２，１４，１６，１８）には電動駆動部側の取付手段（６，７，８）に取り付けることのできる作業機取付手段（１２ｃ，１４ｃ，１６ｃ，１８ｃ）をそれぞれ設ける。複数の作業機（１２，１４，１６，１８）からいずれか一つを選択し作業機取付手段（１２ｃ，１４ｃ，１６ｃ，１８ｃ）を介して電動駆動部側の取付手段（６，７，８）に取り付けると、電動駆動部の駆動部と作業機側の駆動部とが伝動連結状態となり、一個の電動駆動部を利用して複数の作業を実現する。【選択図】図３
2013034432.tif 000002
【特許請求の範囲】
【請求項１】
機体フレーム（１）にモータ（２）及びバッテリ（３）を搭載すると共に、作業機取付用の取付手段（６，７，８）及びハンドル（１０）を付設して電動駆動部を構成し、複数の作業機（１２，１４，１６，１８）には前記電動駆動部側の取付手段（６，７，８）に取り付けることのできる作業機取付手段（１２ｃ，１４ｃ，１６ｃ，１８ｃ）をそれぞれ設け、前記電動駆動部側の取付手段（６，７，８）に複数の作業機（１２，１４，１６，１８）のいずれか一つを選択し作業機取付手段（１２ｃ，１４ｃ，１６ｃ，１８ｃ）を介して取り付けると、電動駆動部の駆動手段と作業機側の駆動手段とが伝動連結状態となり、一個の電動駆動部を利用して複数の作業をすることを特徴とする農用作業機。
【請求項２】
請求項１の発明において、前記電動駆動部のモータ（２）から作業機（１２，１４，１６，１８）の作業装置への動力伝動経路中には減速し増トルクを図りながら動力を伝達する伝動手段（２１，２２）を設けたことを特徴とする農用作業機。
【請求項３】
請求項１又は請求項２の発明において、耕耘作業機（１２）の耕耘動力伝動経路にはワンウェイクラッチ（２３）を介装し、ロータリ（１２ｂ）を所定方向にのみ回転駆動し反対方向には空転するようにしたことを特徴とする農用作業機。
【請求項４】
請求項１又は請求項２の発明において、芝刈機（１４）には、芝刈り伝動手段（１４ｇ）を内装している芝刈りフレーム（１４ａ）と、前側部に配設されている芝刈り刃（１４ｂ）と、該芝刈り刃１４ｂの後方に位置している左右車輪（１４ｄ，１４ｄ，１４ｅ，１４ｅ）とを備え、前記左右車輪（１４ｄ，１４ｄ，１４ｅ，１４ｅ）を前記芝刈り刃（１４ｂ）の左右幅よりも内側に位置するように配設したことを特徴とする農用作業機。
【請求項５】
請求項１、請求項２又は請求項４の発明において、芝刈機（１４）には、芝刈り伝動手段（１４ｇ）を内装している芝刈りフレーム（１４ａ）と、前側部に配設されている芝刈り刃（１４ｂ）と、該芝刈り刃１４ｂの後方に位置している左右車輪（１４ｄ，１４ｄ，１４ｅ，１４ｅ）とを備え、前記芝刈り伝動手段（１４ｇ）を機体の中央部に配設し、芝刈り伝動手段（１４ｇ）の終端側から左右一側に延出している走行伝動手段（１４ｈ）を経由して前記左右車輪（１４ｄ，１４ｄ）に動力を伝達し、芝刈り伝動手段（１４ｇ）の終端側から左右他側に延出している第２芝刈り伝動手段（１４ｉ）を経由して前記芝刈り刃（１４ｂ）に動力を伝達することを特徴とする農用作業機。
【発明の詳細な説明】
【技術分野】
【０００１】
この発明は、農用作業機に関する。
【背景技術】
【０００２】
圃場を耕耘するロータリ部と、ロータリ部を駆動するモータと、モータの上方を覆うモータカバーと、モータの電源であるバッテリを収納したバッテリケースと、ロータリ部の上方を覆うロータリカバーを備え、ロータリカバーの左右中央部に開口部を設け、この開口部に沿って壁部を形成し、バッテリケースの左右側面を支持する構成とし、バッテリケースを上下方向に機体フレーム側に対して着脱自在に構成した電動耕耘機は公知である。
【先行技術文献】
【特許文献】
【０００３】
【特許文献１】特開２０１１−６号
【発明の概要】
【発明が解決しようとする課題】
【０００４】
本発明は、モータで駆動される単一の電動駆動部に複数の作業機を付け代えることにより、単一の電動駆動部で複数の作業ができるようにしコストの低減を図ろうとするものである。
【課題を解決するための手段】
【０００５】
本発明は前記課題を解決するために次のような技術的手段を講じた。
請求項１の発明は、機体フレーム（１）にモータ（２）及びバッテリ（３）を搭載すると共に、作業機取付用の取付手段（６，７，８）及びハンドル（１０）を付設して電動駆動部を構成し、複数の作業機（１２，１４，１６，１８）には前記電動駆動部側の取付手段（６，７，８）に取り付けることのできる作業機取付手段（１２ｃ，１４ｃ，１６ｃ，１８ｃ）をそれぞれ設け、前記電動駆動部側の取付手段（６，７，８）に複数の作業機（１２，１４，１６，１８）のいずれか一つを選択し作業機取付手段（１２ｃ，１４ｃ，１６ｃ，１８ｃ）を介して取り付けると、電動駆動部の駆動手段と作業機側の駆動手段とが伝動連結状態となり、一個の電動駆動部を利用して複数の作業をすることを特徴とする。
【０００６】
請求項２の発明は、請求項１の発明において、前記電動駆動部のモータ（２）から作業機（１２，１４，１６，１８）の作業装置への動力伝動経路中には減速し増トルクを図りながら動力を伝達する伝動手段（２１，２２）を設けたことを特徴とする。
【０００７】
請求項３の発明は、請求項１又は請求項２の発明において、耕耘作業機（１２）の耕耘動力伝動経路にはワンウェイクラッチ（２３）を介装し、ロータリ（１２ｂ）を所定方向にのみ回転駆動し反対方向には空転するようにしたことを特徴とする。
【０００８】
請求項４の発明は、請求項１又は請求項２の発明において、芝刈機（１４）には、芝刈り伝動手段（１４ｇ）を内装している芝刈りフレーム（１４ａ）と、前側部に配設されている芝刈り刃（１４ｂ）と、該芝刈り刃１４ｂの後方に位置している左右車輪（１４ｄ，１４ｄ，１４ｅ，１４ｅ）とを備え、前記左右車輪（１４ｄ，１４ｄ，１４ｅ，１４ｅ）を前記芝刈り刃（１４ｂ）の左右幅よりも内側に位置するように配設したことを特徴とする。
【０００９】
請求項５の発明は、請求項１、請求項２又は請求項４の発明において、芝刈機（１４）には、芝刈り伝動手段（１４ｇ）を内装している芝刈りフレーム（１４ａ）と、前側部に配設されている芝刈り刃（１４ｂ）と、該芝刈り刃１４ｂの後方に位置している左右車輪（１４ｄ，１４ｄ，１４ｅ，１４ｅ）とを備え、前記芝刈り伝動手段（１４ｇ）を機体の中央部に配設し、芝刈り伝動手段（１４ｇ）の終端側から左右一側に延出している走行伝動手段（１４ｈ）を経由して前記左右車輪（１４ｄ，１４ｄ）に動力を伝達し、芝刈り伝動手段（１４ｇ）の終端側から左右他側に延出している第２芝刈り伝動手段（１４ｉ）を経由して前記芝刈り刃（１４ｂ）に動力を伝達することを特徴とする。
【発明の効果】
【００１０】
請求項１の発明によると、電動駆動部側の取付手段（６，７，８）に複数の作業機（１２，１４，１６，１８）のいずれか一つを選択し、作業機取付手段（１２ｃ，１４ｃ，１６ｃ，１８ｃ）を介して取り付けると、電動駆動部の駆動手段と作業機側の駆動手段とが伝動連結状態となり、一個の電動駆動部を利用して複数の作業を迅速にすることができ、コストの低減を図ることができる。
【００１１】
請求項２の発明によると、請求項１の発明の前記効果に加えて、電動駆動部のモータ（２）から作業機（１２，１４，１６，１８）の作業装置への動力伝動経路中には減速し増トルクを図りながら動力を伝達する伝動手段（２１，２２）を設けたので、モータ（２）を動力源としながら高負荷の作業をすることができる。
【００１２】
請求項３の発明によると、請求項１の発明又は請求項２の発明による前記効果に加えて、耕耘作業機（１２）の耕耘動力伝動経路にはワンウェイクラッチ（２３）を介装し、ロータリ（１２ｂ）を所定方向にのみ回転駆動し反対方向には空転するようにしたので、ロータリ（１２ｂ）の爪部（１２ｆ，…）に石などの異物が噛み込みメカロックした際には、ロータリ（１２ｂ）の爪部（１２ｆ）の反駆動方向に沿ってハンマーで異物や爪部（１２ｆ）を叩くことにより、ロータリ軸（１２ｅ）から爪部（１２ｆ）を取り外さずに耕耘伝動手段（１２ｇ）の損傷を防止しながら異物を除去することができる。
【００１３】
請求項４の発明によると、請求項１の発明又は請求項２の発明による前記効果に加えて、芝刈機（１４）には芝刈り刃（１４ｂ）の左右幅よりも内側に位置するように左右車輪（１４ｄ，１４ｄ，１４ｅ，１４ｅ）を配設したので、左右車輪（１４ｄ，１４ｄ，１４ｅ，１４ｅ）で未刈地の芝草類を踏み付け押し倒すようなこともなく、刈り高さを揃えることができる。
【００１４】
請求項５の発明によると、請求項１、請求項２又は請求項４の発明による前記効果に加えて、芝刈り伝動手段（１４ｇ）を機体の中央部に配設し、芝刈り伝動手段（１４ｇ）の終端側から左右一側に延出している走行伝動手段（１４ｈ）を経由して左右車輪（１４ｄ，１４ｄ）に動力を伝達し、芝刈り伝動手段（１４ｇ）の終端側から左右他側に延出している第２芝刈り伝動手段（１４ｉ）を経由して芝刈り刃（１４ｂ）に動力を伝達するとうにしたので、芝刈機（１４）の左右のバランスを良好にし、安定した状態で走行することができる。
【図面の簡単な説明】
【００１５】
【図１】機体フレームの斜視図。
【図２】電動耕耘作業機の側面図。
【図３】電動耕耘作業機の分解状態の側面図。
【図４】電動芝刈機の側面図。
【図５】電動芝刈機の分解状態の側面図。
【図６】電動刈払い機の側面図。
【図７】電動刈払い機の分解状態の側面図。
【図８】電動ポンプ作業機の側面図。
【図９】電動ポンプ作業機の分解状態の側面図。
【図１０】耕耘作業機の切断側面図。
【図１１】耕耘作業機の切断正面図。
【図１２】電動芝刈機の側面図。
【図１３】電動芝刈機の切断平面図。
【発明を実施するための形態】
【００１６】
以下、図面に基づき本発明の実施例について説明する。
機体フレーム１を平面視で前後方向に長い長方形としその上方を開放したボックス状に構成し、機体フレーム１の前側フレーム１ａにモータ２を搭載し、モータ２の出力軸２ａを機体フレーム１の下端部から下方へ突出するように設け、上部カバー１ａａにはメインスイッチ４、ブレーカ５を設けている。また、機体フレーム１の後側フレーム１ｂにバッテリ３を取り外し自在に搭載している。
【００１７】
機体フレーム１の前側フレーム１ａの前側下部左右両角部に左右前側取付枠体６，６を下方へ突出するように設け、後側フレーム１ｂの後側下部左右両角部に左右後側取付枠体７，７を下方へ突出するように設けている。また、機体フレーム１の前側フレーム１ａと後側フレーム１ｂの境界部に中間取付枠体８を下方に突出するように設けている。
【００１８】
左右ハンドル１１，１１の下端部を左右方向に沿ったハンドル枠体１１ａに取り付け、ハンドル枠体１１ａを機体フレーム１の左右後側取付枠体７，７にボルト・ナットで連結し、左右ハンドル１１，１１を後上り傾斜に延出している。左右ハンドル１１，１１には左右作業スイッチ１０，１０を設け、バッテリ３、モータ２及び左右作業スイッチ１０，１０をコード９などのコネクタを介して接続し、左右作業スイッチ１０，１０によりモータ２をＯＮ／ＯＦＦ操作するようにしている。
【００１９】
耕耘作業機１２は、図２及び図３に示すように、上下方向に長い筒体状の耕耘フレーム１２ａと、耕耘フレーム１２ａの下端部に左右方向の軸回りに回転自在に支架している左右ロータリ１２ｂ，１２ｂと、耕耘フレーム１２ａの上端部に設けた耕耘取付枠体１２ｃと、耕耘フレーム１２ａに内装している耕耘伝動手段１２ｇと、で構成している。
【００２０】
なお、前記耕耘伝動手段１２ｇは、例えば、耕耘フレーム１２ａに上下方向に沿った耕耘伝動軸を軸架し、耕耘伝動軸の下側終端側と左右ロータリ１２ｂ，１２ｂとの伝動経路にウォームギヤ、ウォームホイールを介装し、減速し且つ増トルクしながら動力を伝達するように構成している。
【００２１】
耕耘作業機１２の耕耘取付枠体１２ｃに対して機体フレーム１の左右前側取付枠体６，６及び中間取付枠体８を上方から下方へ移動しながら嵌合装着すると、モータ２の出力軸２ａの下端部と耕耘作業機１２の耕耘伝動手段１２ｇの上端部が係合し動力伝動状態となり、左右前側取付枠体６，６及び中間取付枠体８と耕耘取付枠体１２ｃとをボルト・ナットで固着する。しかして、モータ２の出力軸２ａから耕耘フレーム１２ａ内の耕耘伝動手段１２ｇにより減速し増トルクを図りながら左右ロータリ１２ｂ，１２ｂに動力が伝達され、耕耘作業をすることができる。
【００２２】
前記構成によると、バッテリ３及びモータ２を備えた機体フレーム１の下部に耕耘作業機１２を取り付けることにより、耕耘作業をすることができる。
次に、図４及び図５に基づき芝刈機１４の電動駆動構成について説明する。
【００２３】
芝刈機１４は、芝刈りフレーム１４ａと、芝刈りフレーム１４ａに左右方向の軸回りに回転自在に支架している芝刈り刃１４ｂと、芝刈りフレーム１４ａの上端部前後に設けている芝刈り取付枠体１４ｃ，１４ｃと、芝刈りフレーム１４ａを支持する左右前輪１４ｄ，１４ｄ及び左右後輪１４ｅ，１４ｅと、芝草収納袋１４ｆと、芝刈りフレーム１４ａ内に設けていて減速し増トルクを図りながら動力を伝達する芝刈り伝動手段１４ｇと、で構成している。
【００２４】
芝刈り作業機１４の芝刈り取付枠体１４ｃに対して機体フレーム１の左右前側取付枠体６，６及び中間取付枠体８を上方から下方に移動しながら嵌合装着すると、モータ２の出力軸２ａの終端側と芝刈り作業機１４の芝刈り伝動手段１４ｇの始端側とが係合し動力伝動状態となり、左右前側取付枠体６，６、中間取付枠体８と芝刈り取付枠体１４ｃをボルト・ナットで固着し、機体フレーム１に芝刈り作業機１４を取り付ける。
【００２５】
しかして、モータ２の出力軸２ａから芝刈り伝動手段１４ｇに動力を伝達し、減速し増トルクを図りながら芝刈り刃１４ｂを駆動し、芝刈り作業をすることができる。
前記構成によると、バッテリ３及びモータ２を備えた機体フレーム１に芝刈り作業機１４を取り付けることにより、芝刈り作業をすることができる。
【００２６】
次に、図６及び図７に基づき刈払い機１６の電動駆動構成について説明する。
刈払い機１６は、前後方向に長い刈払いフレーム１６ａと、刈払いフレーム１６ａの前端屈曲部に回転自在に支架している刈払い刃１６ｂと、刈払いフレーム１６ａの後側端部に設けている刈払い取付枠体１６ｃと、刈払いフレーム１６ａの後側部に取り付けた操作ハンドル１６ｄと、機体フレーム１に取り付けている肩掛けベルト１６ｅと、刈払いフレーム１６ａに内装されていて減速し増トルクを図りながら動力を伝達する刈払い伝動手段１６ｇと、で構成している。
【００２７】
なお、操作ハンドル１６ｄには作業スイッチ１０を設け、バッテリ３、モータ２及び作業スイッチ１０をコード９などのコネクタを介して接続し、作業スイッチ１０によりモータ２をＯＮ／ＯＦＦするようにしている。
【００２８】
機体フレーム１の左右前側取付枠体６，６を前方に、左右後側取付枠体７，７を後方に配した状態で、左右前側取付枠体６，６と中間取付枠体８に対して刈払い作業機１６の刈払い取付枠体１６ｃを前方から後方へ移動しながら嵌合装着すると、モータ２の出力軸２ａの終端側と刈払い作業機１６の刈払い伝動手段１８ｇの始端側とが係合し動力伝動状態となり、左右前側取付枠体６，６、中間取付枠体８と刈払い取付枠体１６ｃをボルト・ナットで固着する。しかして、刈払い作業機１６を取り付け機体フレーム１を肩掛けベルト１６ｅにより吊り下げ支持し、モータ２により刈払い刃１６ｂを回転駆動し、刈払い作業をすることがきる。
【００２９】
前記構成によると、バッテリ３及びモータ２を備えた機体フレーム１に刈払い機１６を取り付けることにより、芝刈り作業をすることができる。
次に、図８及び図９に基づきポンプ作業機１８の電動駆動構成について説明する。
【００３０】
ポンプ作業機１８は、ボックス状のポンプフレーム１８ａと、ポンプフレーム１８ａ内に配設しているポンプ１８ｂと、ポンプフレーム１８ａの前側端部に設けているポンプ取付枠体１８ｃと、ポンプフレーム１８ａの吸水部に取り付ける吸水用ホース１８ｄと、ポンプフレーム１８ａの吐出部に取り付ける吐出用ホース１８ｅと、ポンプフレーム１８ａ内に配設されていて減速し増トルクを図りながら動力を伝達するポンプ伝動手段１８ｇと、で構成している。
【００３１】
機体フレーム１の左右前側取付枠体６，６を後側下方に、左右後側取付枠体７，７を後側上方に配した状態で、左右前側取付枠体６，６、左右後側取付枠体７，７及び中間取付枠体８に対してポンプ作業機１８のポンプ取付枠体１８ｃを後側から前側へ移動しながら嵌合装着しボルト・ナットで固着すると、モータ２の出力軸２ａの終端側とポンプ伝動手段１８ｇの始端側とが係合し動力伝動状態となる。しかして、ポンプ作業機１８を取り付け機体フレーム１を水源近くに移動し、吸水用ホース１８ｄの先端部を水源に接続し、モータ２を駆動すると、ポンプ伝動手段１８ｇにより減速し増トルクを図りながら動力が伝達されてポンプ１８ｂが駆動され、吸水用ホース１８ｄから吸水した水を吐出用ホース１８ｅから吐出し、ポンプ作業をすることがきる。
【００３２】
前記構成によると、バッテリ３及びモータ２を備えた機体フレーム１にポンプ作業機１８を取り付けることにより、ポンプ作業をすることができる。
前記のように、バッテリ３及びモータ２を備えた機体フレーム１を利用して作業機を付け代えることにより、耕耘作業機１２で耕耘作業をしたり、芝刈り作業１４で芝刈り作業をしたり、刈払い機１６で刈払い作業をしたり、ポンプ作業機１８でポンプ作業をすることができ、コストの低減を図りながら種々の作業を迅速に行なうことができる。また、機体フレーム１からバッテリ３を取り外して充電し、長時間にわたり作業をすることができる。
【００３３】
次に、図１０及び図１１に基づき耕耘作業機１２の他の実施例について説明する。
耕耘作業機１２は、耕耘フレーム１２ａと、耕耘フレーム１２ａの下端部に支架している左右ロータリ１２ｂ，１２ｂと、耕耘フレーム１２ａの上端部に設けた耕耘取付枠体１２ｃと、上下方向に長い筒体状に構成した耕耘フレーム１２ａに上下方向に沿うように軸架している耕耘伝動軸１２ｄと、で構成している。
【００３４】
耕耘伝動軸１２ｄの下端部にウォームギヤ２１を取り付け、左右ロータリ１２ｂ，１２ｂのロータリ軸１２ｅ，１２ｅ内端部にウォームホイール２２，２２を取り付け、ウォームギヤ２１からウォームホイール２２，２２を介して減速し増トルクを図りながら左右ロータリ１２ｂ，１２ｂに動力を伝達するようにしている。そして、左右ロータリ１２ｂ，１２ｂのロータリ軸１２ｅ，１２ｅとウォームホイール２２，２２との間にワンウェイクラッチ２３，２３を介装し、左右ロータリ１２ｂ，１２ｂを所定方向にのみ回転駆動し反対方向には駆動せず空転するようにしている。
【００３５】
耕耘作業機１２の左右ロータリ１２ｂ，１２ｂの爪部１２ｆ，…に石などの異物が噛み込みメカロックした際に、爪部１２ｆや異物をハンマーで叩くと、ウォームホイール２２，２２が破損することがある。このため、異物を取り除く際には、ロータリ軸１２ｅから爪部１２ｆを取り外す必要があり、異物除去には手間がかかっていた。
【００３６】
しかし、前記構成によると、左右ロータリ１２ｂ，１２ｂのロータリ軸１２ｅ，１２ｅとウォームホイール２２，２２との間にワンウェイクラッチ２３，２３を介装しているので、ロータリ１２ｂの爪部１２ｆの反駆動方向に沿うようにハンマーで異物や爪部１２ｆを叩くことにより、ロータリ軸１２ｅから爪部１２ｆを取り外さずにしかもウォームギヤ２１やウォームホイール２２，２２の損傷を防止しながら異物を除去することができる。
【００３７】
次に、図１２及び図１３に基づき芝刈り機１４の他の実施例について説明する。
芝刈機１４の芝刈りフレーム１４ａ内には芝刈り伝動手段１４ｇを設け、減速し増トルクを図りながら動力を伝達している。芝刈りフレーム１４ａの前側部に左右方向の軸回りに回転する芝刈り刃１４ｂを設け、芝刈りフレーム１４ａの上端部には芝刈り取付枠体１４ｃを設け、芝刈りフレーム１４ａの芝刈り刃１４ｂの後方に左右前輪１４ｄ，１４ｄ及び左右後輪１４ｅ，１４ｅを設け、芝刈りフレーム１４ａを支持している。
【００３８】
しかも、芝刈りフレーム１４ａの前後方向の中間部に左右前輪１４ｄ，１４ｄを位置するようにし、芝刈機１４の大部分の重量を支持するようにしている。そして、芝刈り刃１４ｂの左右幅よりも内側に位置するように配設している。なお、左右後輪１４ｅ，１４ｅは芝刈り刃１４ｂの左右幅よりも外側に位置するようにしているが、左右前輪１４ｄ，１４ｄと同様に芝刈り刃１４ｂの左右幅よりも内側に位置するようにしてもよい。
【００３９】
また、芝刈りフレーム１４ａの芝刈り伝動手段１４ｇの下端部から左右一側に走行伝動手段１４ｈを延出し、更に前後方向に沿った第２走行伝動手段１４ｈａを延出経由して左右前輪１４ｄ，１４ｄに動力を伝達するように自走式とし、芝刈り作業を楽に行なうようにしている。
【００４０】
また、芝刈りフレーム１４ａの芝刈り伝動手段１４ｇの下端部から左右他側に第２芝刈り伝動手段１４ｉを延出し、更に第３芝刈り伝動手段１４ｉａを経由して芝刈り刃１４ｂに動力を伝達している。しかして、芝刈り機１４の左右のバランスを良好に保持し安定走行をすることができる。
【００４１】
また、左右前輪１４ｄ，１４ｄ及び左右後輪１４ｅ，１４ｅを芝刈り刃１４ｂの左右幅よりも左右外側に設ける構成であると、未刈作業地を左右前輪１４ｄ，１４ｄ及び左右後輪１４ｅ，１４ｅが通り、未刈草を押し倒し、刈り高さが不揃いになる不具合が発生する。
【００４２】
しかし、前記構成によると、芝刈り機１４の大部分の重量を支持する左右前輪１４ｄ，１４ｄを芝刈り刃１２ｂよりも後方で、且つ、芝刈り刃１４ｂの左右幅よりも内側に設けるようにしているので、左右前輪１４ｄ，１４ｄは刈り取った後を通過し、前記不具合を解消することができる。
【符号の説明】
【００４３】
１      機体フレーム
２      モータ
３      バッテリ
６      作業機取付手段
７      作業機取付手段
８      作業機取付手段
１０      ハンドル
１２      作業機（耕耘作業機）
１２ａ    耕耘フレーム
１２ｂ    ロータリ
１２ｃ    作業機取付手段
１４      作業機（芝刈機）
１４ａ    芝刈りフレーム
１４ｂ    芝刈り刃
１４ｃ    作業機取付手段
１４ｄ    左右車輪
１４ｅ    左右車輪
１４ｇ    芝刈り伝動手段
１４ｈ    走行伝動手段
１４ｉ    第２芝刈り伝動手段
１６      作業機（刈払い機）
１６ｃ    作業機取付手段
１８      作業機（ポンプ作業機）
１８ｃ    作業機取付手段
２１      ウォームギヤ
２２      ウォームホイール
２３      ワンウェイクラッチ
【図１】
2013034432.tif 000003
【図２】
2013034432.tif 000004
【図３】
2013034432.tif 000005
【図４】
2013034432.tif 000006
【図５】
2013034432.tif 000007
【図６】
2013034432.tif 000008
【図７】
2013034432.tif 000009
【図８】
2013034432.tif 000010
【図９】
2013034432.tif 000011
【図１０】
2013034432.tif 000012
【図１１】
2013034432.tif 000013
【図１２】
2013034432.tif 000014
【図１３】
2013034432.tif 000015